(57)【特許請求の範囲】
【請求項１】
外周面に目盛りが付された直筒状の計量部と、該計量部の端部に設けられた口部と、を有する計量筒が備えられ、
該計量筒内に収容された流体の体積を前記目盛りで計量する計量器において、
上下反転した向きで並列に配設された一対の計量筒が備えられ、
該一対の計量筒のうちの一方の計量筒に形成された口部の開口面積は、該一方の計量筒の計量部の軸線直交方向の内断面積よりも大きく、他方の計量筒に形成された口部の開口面積は、該他方の計量筒の計量部の軸線直交方向の内断面積よりも大きくなっていて、
前記一方の計量筒には、該一方の計量筒の計量部よりも拡径された底部が備えられ、
該底部の内容積は、前記他方の計量筒によって計量可能な最大計量値と等しいことを特徴とする計量器。
【請求項２】
請求項１に記載の計量器において、
前記他方の計量筒の軸線直交方向の内断面積が、前記一方の計量筒の軸線直交方向の内断面積よりも小さいことを特徴とする計量器。
【請求項３】
請求項１または２に記載の計量器において、
前記一方の計量筒と前記他方の計量筒とはそれぞれ別々に成形され、
前記一方の計量筒は、前記底部の底面側が開放された無底筒状に形成されており、
前記底部の底面側の開口面は、前記他方の計量筒の口部によって閉塞されていることを特徴とする計量器。
【発明の詳細な説明】
【技術分野】
【０００１】
本発明は、流体の体積を目盛りで計量する計量器に関する。
【背景技術】
【０００２】
この種の計量器として、有底円筒形状の透明容器の外周面に目盛りが付された計量器（メスシリンダー）が一般に広く知られている。この計量器では、上端口部から計量対象の流体を入れ、液面の高さ位置の目盛りを読むことで、その流体の体積を計量することができる。
【０００３】
ところで、上記した計量器は、縦横比（高さ／直径）が大きい縦長形状を成しているため、接地安定性が悪く、転倒し易いという問題があった。そこで、従来、例えば下記特許文献１に示されるような、計量器を台座に固定して接地安定性を向上させる技術が提案されている。この技術は、平盤状の台座上に計量器を立てるとともに、計量器の底部を輪ゴム等の固定手段で台座に固定するものである。この技術によれば、平盤状の台座によって縦長の計量器が支えられるので、接地安定性が向上し、転倒しにくくなる。
【特許文献１】特開平９−１８７６６３号公報
【発明の開示】
【発明が解決しようとする課題】
【０００４】
しかしながら、上記した従来技術では、平盤状の台座に対して筒状の計量器を垂直に固定するのが難しく、台座に対して計量器が傾いて取り付けられたり、台座から計量器が外れたりし、計量器の接地安定性が悪くなる場合がある。
また、計量器の接地安定性を向上させるために相当大きな台座を用いることになるので、台座付きの計量器は嵩張り、台座付きの計量器を使用したり保管したりする際に場所をとるという問題がある。
【０００５】
本発明は、上記した従来の問題が考慮されたものであり、接地安定性を向上させることができるとともに、嵩張らずに場所をとらない計量器を提供することを目的としている。
【課題を解決するための手段】
【０００６】
本発明に係る計量器は、外周面に目盛りが付された直筒状の計量部と、該計量部の端部に設けられた口部と、を有する計量筒が備えられ、該計量筒内に収容された流体の体積を前記目盛りで計量する計量器において、上下反転した向きで並列に配設された一対の計量筒が備えられ、該一対の計量筒のうちの一方の計量筒に形成された口部の開口面積が、該一方の計量筒の計量部の軸線直交方向の内断面積よりも大きく、他方の計量筒に形成された口部の開口面積が、該他方の計量筒の計量部の軸線直交方向の内断面積よりも大きくなっていて、前記一方の計量筒に、該一方の計量筒の計量部よりも拡径された底部が備えられ、該底部の内容積が、前記他方の計量筒によって計量可能な最大計量値と等しいことを特徴としている。
【０００７】
このような特徴により、計量器は一対の計量筒を並列に配設した構成からなるため、計量器の横寸法（径）が大きくなり、計量器の縦横比が小さくなる。
また、一対の計量筒は上下反転させた向きで設けられているため、計量器の両端にそれぞれ口部が配設される。したがって、計量器を上下反転させた何れの向きであっても、計量器の下端部分に口部が設けられる。そして、その口部の開口面積は計量部の断面積よりも大きく拡径されているため、計量器を上下反転させた何れの向きであっても、計量器の接地面が大きくなる。
さらに、口部の開口面積が計量部の内断面積よりも大きいため、計量筒内に流体を注ぎ込みやすい。
なお、本発明における「流体」とは、液体や粘体の他に、粒体集合物や粉体などの流動性固体も含むものとする。
【０００９】
ここで、他方の計量筒の最大計量値以下の量の流体を計量する際には、他方の計量筒の口部を上側にした向きで計量器を置いて、他方の計量筒の内側に流体を入れて計量する。一方、他方の計量筒の最大計量値を超える量の流体を計量する際には、一方の計量筒の口部を上側にした向きで計量器を置いて、一方の計量筒に流体を入れて計量する。
また、底部が計量部よりも拡径されているので、一方の計量筒の高さが低く抑えられ、結果として計量器の高さが低く抑えられる。
【００１０】
また、本発明に係る計量器は、前記他方の計量筒の軸線直交方向の内断面積が、前記一方の計量筒の軸線直交方向の内断面積よりも小さいことが好ましい。
【００１１】
これにより、他方の計量筒は、一方の計量筒に比べて、流体の体積の増減に対する液面位置の変化量が大きくなる。
【００１２】
また、本発明に係る計量器は、前記一方の計量筒と前記他方の計量筒とがそれぞれ別々に成形され、前記一方の計量筒が、前記底部の底面側が開放された無底筒状に形成されており、前記底部の底面側の開口面が、前記他方の計量筒の口部によって閉塞されていることが好ましい。
【００１３】
これにより、計量部よりも拡径された底部を有する一方の計量筒を単純な成形金型で成形することが可能である。すなわち、仮に一方の計量筒が有底筒状である場合、計量部よりも拡径された底部の内面を形成するには、分割可能な金型等のような特殊金型を用いる必要があり、成形作業が煩雑になる。これに対し、本発明に係る計量器は、一方の計量筒が無底筒状であるので、底部の内面を形成する金型を底面側から引き抜くことが可能であり、成形作業が簡単である。
また、一方の計量筒の底面側の開口面が他方の計量筒の口部で閉塞されているので、一方の計量筒と他方の計量筒とを組み合わせるだけで上記開口面が閉塞され、一方の計量筒の中に流体が収容可能となる。
【発明の効果】
【００１４】
本発明に係る計量器によれば、計量器の縦横比が小さく、また、計量器を上下反転させた何れの向きであっても計量器の下端部分が拡大された形状となるので、計量器の接地安定性を向上させることができる。
また、計量器の縦横比が小さいため、計量器の下端部分を相当に大きくしなくても接地安定性を確保することができ、計量器を嵩張らない形状にすることができる。
【発明を実施するための最良の形態】
【００１５】
以下、本発明に係る計量器の実施の形態について、図１から図３に基いて説明する。
図１は本実施の形態における計量器１の縦断面図であり、図１の（ａ）と（ｂ）とは互いに上下反転させた向きの図である。また、図２は後述する第一計量筒２の斜視図であり、図３は後述する第二計量筒３の斜視図である。なお、本実施の形態においては、計量器１の軸方向の一方側（図１（ａ）における下側、図１（ｂ）における上側）をＡ側とし、計量器１の軸方向の他方側（図１（ａ）における上側、図１（ｂ）における下側）をＢ側とする。
【００１６】
図１に示すように、計量器１は、流体の体積を計量するための計量器であり、別々に射出成形された一対の計量筒２，３を組み合わせた構成からなる。この計量器１は、一対の計量筒２，３のうちのいずれか一方に収容された流体の体積をその計量筒２，３の外周面に付された目盛りで計量するものである。詳しく説明すると、計量器１は、計量範囲が異なる第一計量筒２（本発明における「一方の計量筒」に相当する。）と第二計量筒３（本発明における「他方の計量筒」に相当する。）とを上下反転した向きで並列に配設させた構成となっている。
【００１７】
図１、図２に示すように、第一計量筒２は、透明性を有する樹脂製又はガラス製の筒部であり、第二計量筒３よりも内容積が大きく、多量域（図１では2.0cc〜4.0cc）の計量を行うことが可能な計量筒である。この第一計量筒２は、両端がそれぞれ開放された無底筒状の部材であり、第一計量筒２の概略構成としては、外周面に目盛りが付された直筒状の第一計量部２０と、第一計量部２０のＡ側の端部に連設された第一口部２１と、第一計量部２０のＢ側の端部に連設された底部２２と、を備えている。
【００１８】
第一計量部２０は、第一計量筒２内に収容された流体の体積を量る円筒形状の筒部であり、第一計量部２０の外周面には、上記した多量域の目盛りが軸方向に並べて付記されている。この第一計量部２０の目盛りは、Ｂ側からＡ側に向かうに従い数値が大きくなるように付されており、第一計量部２０のＢ側の端部に、上記した多量域における最小値（図１では2.0cc）が付されている。
【００１９】
第一口部２１は、第一計量筒２内に流体を注ぎ入れるための漏斗であり、第一計量部２０に連通されている。この第一口部２１は、軸線直交方向の断面形状がＢ側からＡ側に向かうに従い漸次拡大された略偏心円錐形状を成しており、第一口部２１の開口面積（Ａ側の開口面２１ａの面積）は、第一計量部２０の軸線直交方向の内断面積よりも大きい。
【００２０】
底部２２は、流体が収容される筒部であり、第一計量部２０に連通されている。この底部２２は、第一計量部２０よりも拡径されており、底部２２の内容積は、後述する第二計量部３０によって計量可能な最大計量値（図１では2.0cc）と等しい。また、底部２２は、その底面側（Ｂ側）が開口された無底筒部であり、この底部２２の先端面（Ｂ側の端面）が、後述する第二口部３１のテーパー状の外周面に全周に亘って当接され、底部２２の底面側の開口面は後述する第二口部３１によって閉塞されている。また、底部２２は、第二口部３１が嵌め込まれるような形状を成している。具体的に説明すると、底部２２は、後述する第二口部３１の開口端部の外縁に沿って延在した平面視Ｃ字形状の外壁部２２ａと、後述する第二計量部３０の外縁に沿って延在した平面視略コ字形状の内壁部２２ｂと、外壁部２２ａ及び内壁部２２ｂの基端部（Ａ側の端部）と第一計量部２０のＢ側の端部との間に形成された略偏心円錐形状のテーパー部２２ｃと、を備えている。上記した内壁部２２ｂの先端面（Ｂ側の端面）は、後述する偏心円錐形状の第二口部３１の外周面に沿って湾曲されている。
【００２１】
図１、図３に示すように、第二計量筒３は、透明性を有する樹脂製又はガラス製の筒部であり、第一計量筒２よりも内容積が小さく、少量域（図１では0cc〜2.0cc）の計量を行うことが可能な計量筒である。この第二計量部３０は、Ａ側の端部が閉塞されてＢ側の端部が開放された有底筒状の部材であり、第二計量筒３の概略構成としては、外周面に目盛りが付された直筒状の第二計量部３０と、第二計量部３０のＢ側の端部に連設された第二口部３１と、第二口部３１の外周面に突設されて上記した底部２２の内側に嵌合される嵌合部３２と、を備えている。
【００２２】
第二計量部３０は、第二計量筒３内に収容された流体の体積を量る断面視略半円形状（かまぼこ形状）の有底筒部であり、第一計量部２０の側方に平行に配設されている。第二計量部３０の外周面には、上記した少量域の目盛りが軸方向に並べて付記されている。この第二計量部３０の目盛りは、Ａ側からＢ側に向かうに従い数値が大きくなるように付されている。また、第二計量部３０の軸線直交方向の内断面積は、第一計量部２０の軸線直交方向の内断面積よりも小さい。
【００２３】
第二口部３１は、第二計量筒３内に流体を注ぎ入れるための漏斗であり、第二計量部３０に連通されている。この第二口部３１は、軸線直交方向の断面形状がＡ側からＢ側に向かうに従い漸次拡大された略偏心円錐形状を成しており、第二口部３１の開口面積（Ｂ側の開口面３１ａの面積）は、第二計量部３０の軸線直交方向の内断面積よりも大きい。また、第二口部３１は、上記した底部２２の底面に対してＢ側から被せるように配設されている。
【００２４】
嵌合部３２は、上記した底部２２のＢ側の端部に圧入嵌合されて底部２２の底面を封止する壁部であり、第二口部３１の外周面から軸線方向に沿って垂下（起立）されているとともに底部２２の内周面に沿って環状に形成されている。詳しく説明すると、嵌合部３２は、上記した底部２２の外壁部２２ａの内周面に沿って延在した平面視Ｃ字形状の壁部３２ａと、上記した底部２２の内壁部２２ｂに沿って延在した平面視略コ字形状の壁部３２ｂと、を組み合わせた構成となっている。この嵌合部３２の外周面と上記した底部２２の内周面とは液密に密接されている。
【００２５】
次に、上記した構成からなる計量器１の作用について説明する。
【００２６】
上記した構成の計量器１を製造する際には、まず、上記した第一計量筒２及び第二計量筒３をそれぞれ別々に射出成形法によって成形する。このとき、第一計量筒２の底部２２の底面が開口されているので、底部２２の内周面の図示せぬ金型を底部２２の底面側から容易に引き抜くことが可能である。
次に、第一計量筒２と第二計量筒３とを上下反転させた向きで並列に配置するとともに、第二口部３１を底部２２の底面側の開口面に被せ、嵌合部３２を底部２２の内側に圧入嵌合させる。これにより、第一計量筒２と第二計量筒３とが並列に組み合わされ、計量器１が完成する。この計量器１は、第一計量筒２と第二計量筒３とを並列に配設した構成からなるため、計量器１の横寸法（径）が大きい。また、底部２２が第一計量部２０よりも拡径されているので、底部２２の高さが抑えられ、結果として計量器１の高さが低く抑えられる。したがって、計量器１の縦横比が小さくなる。
また、底部２２の底面が第二口部３１によって閉塞された状態となり、第一計量筒２内に流体を収容させることが可能となる。また、嵌合部３２を底部２２の内側に圧入嵌合させているので、底部２２における液密性が確保され、底部２２の底面からの液漏れが防止される。
【００２７】
また、上記した構成の計量器１を使用して流体の計量を行う際には、まず、計量器１を卓上等に立てる。具体的に説明すると、少量（2.0cc以下）の流体を計量する場合には、図１（ａ）に示すように、第二口部３１を上側に配置させた向きで計量器１を置く。このとき、計量器１の下端部分には第一口部２１が配置され、この第一口部２１の開口面積は第一計量部２０の内断面積よりも大きく拡径されているので、計量器１の接地面が大きくなる。
【００２８】
次に、第二計量筒３の内側に流体を注ぎ込む。このとき、第二口部３１の開口面積は第二計量部３０の内断面積よりも大きく拡径されているので、第二計量筒３内に流体が注ぎ易い。
そして、流体を注ぎ込んだ後、液面の位置の目盛りを読み、流体の体積を計量する。このとき、第二計量筒３の内断面積は第一計量筒２の内断面積よりも小さいので、第二計量筒３は、第一計量筒２に比べて流体の体積増減に対する液面位置の変化量が大きい。
【００２９】
一方、第二計量筒３の最大計量値（2.0cc）を超える多量（2.0cc〜4.0cc）の流体を計量する場合には、図１（ｂ）に示すように、第一口部２１を上側に配置させた向きで計量器１を置く。このとき、計量器１は、第一計量筒２と第二計量筒３とを並列に配設した構成からなるため、計量器１の横寸法（径）が大きく、計量器１の縦横比が小さくなる。また、計量器１の下端部分には第二口部３１が配置され、この第二口部３１の開口面積は第二計量部３０の内断面積よりも大きく拡径されているので、計量器１の接地面が大きくなる。
【００３０】
次に、第一計量筒２の内側に流体を注ぎ込み、液面の位置の目盛りを読み、流体の体積を計量する。このとき、第一口部２１の開口面積は第一計量部２０の内断面積よりも大きく拡径されているので、第一計量筒２内に流体が注ぎ易い。また、底部２２の内容積が第二計量筒３の最大計量値と等しいので、第二計量筒３で計量できない多量の流体が第一計量部２０の目盛りで計量される。
【００３１】
上記した構成からなる計量器１によれば、計量器１の縦横比が小さく、また、計量器１を上下反転させた何れの向きであっても計量器１の下端部分が拡大された形状となるので、計量器１の接地安定性を向上させることができる。
【００３２】
また、計量器１の縦横比が小さいため、計量器１の下端部分を相当に大きくしなくても接地安定性を確保することができ、計量器１を嵩張らない形状にすることができる。
さらに、底部２２が第一口部２１よりも拡径されており、底部２２の高さが抑えられ、計量器１の高さが抑えられているので、計量器１の縦横比が小さくなり、接地安定性を向上させることができるとともに計量器１の小型化を図ることができる。
【００３３】
また、計量対象が少量の流体である場合には第二計量筒３で計量し、第二計量筒３の最大計量値を超える量の流体の場合には計量器１を上下反転させて第一計量筒２で計量することができるので、１つの計量器１によって少量から多量までの広範囲の流体を計量することができる。
【００３４】
また、第二計量筒３は、第一計量筒２に比べて流体の体積増減に対する液面位置の変化量が大きくなるので、第二計量筒３によって計量する場合、第一計量筒２によって計量する場合に比べて、流体の体積を細かく計量することが可能である。これにより、流体の正確な体積を知ることができる。
【００３５】
また、第一計量筒２が無底筒状であり、拡径された底部２２の内面を形成する金型を底面側から引き抜くことが可能であるので、成形作業が簡単であり、計量器１を容易に製作することができる。
【００３６】
以上、本発明に係る計量器の実施の形態について説明したが、本発明は上記した実施の形態に限定されるものではなく、その趣旨を逸脱しない範囲で適宜変更可能である。
例えば、上記した実施の形態では、第二計量筒３の内断面積が第一計量筒２の内断面積よりも小さくなっているが、第一計量筒２と第二計量筒３との内断面積を等しくすることも可能であり、或いは、第二計量筒３の内断面積を第一計量筒２の内断面積よりも大きくすることも可能である。
【００３７】
また、上記した実施の形態では、第二計量筒３の最大計量値と等しい内容積の底部２２が第一計量筒２に設けられているが、本発明は、第一計量筒２の底部が拡径されていない構成にすることも可能である。
【００３８】
また、上記した実施の形態では、第二口部３１の外周面に嵌合部３２が突設されており、この嵌合部３２が底部２２の内側に圧入嵌合されているが、本発明は、底部２２の液密性を確保できる構成であれば、嵌合部３２を省略することも可能である。例えば、底部２２の先端面と第二口部３１の外周面とを溶着させて底部２２の液密性を確保することも可能である。
【００３９】
また、上記した実施の形態では、底部２２の底面が開口されており、第一計量筒２が無底筒状に形成され、底部２２の底面側の開口面が第二計量筒３の第二口部３１によって閉塞されているが、本発明は、底部２２の底面が閉塞され、第一計量筒２が有底筒状に形成された構成にすることも可能である。
【００４０】
また、上記した実施の形態では、第一計量筒２と第二計量筒３とが別々に成形された別部品になっており、第一計量筒２と第二計量筒３とを組み合わせることで計量器１が形成されているが、本発明は、一対の計量筒を一体に成形することも可能である。例えば、図４に示すように、筒状の計量器１０１の内部空間を隔壁１０１ａで２つに区画し、隔壁１０１ａの一方側を第一計量筒１０２とし、隔壁１０１ａの他方側を第二計量筒１０３とした構成であってもよい。上記した第一計量筒１０２の第一口部１２１と第二計量筒１０３の第二口部１３１とは上下反対の位置にそれぞれ配設されている。また、第一計量筒１０２の内断面積は第二計量筒１０３の内断面積よりも大きく、第一計量筒１０２の内容積は第二計量筒１０３の内容積よりも大きくなっている。そして、第一計量筒１０２の直筒状の第一計量部１２０の外周面には、少量域から多量域までの範囲の目盛りが付されており、第二計量筒１０３の直筒状の第二計量部１３０には、第一計量部１２０よりも少ない量の目盛りが付されている。
【００４１】
また、上記した実施の形態では、第一口部２１及び第二口部３１が偏心円錐形状を成しており、底部２２が、平面視Ｃ字形状の外壁部２２ａと、平面視略コ字形状の内壁部２２ｂと、略偏心円錐形状のテーパー部２２ｃと、から構成されているが、本発明における口部や底部の形状は適宜変更可能である。例えば、口部を、偏心していない円錐形状や半球状、或いは計量部に対して段差状に拡径された直筒形状等に形成することも可能である。また、底部を円筒形状や円錐形状、或いは他方の計量筒の口部を囲うドーナツ形状等に形成することも可能である。
【００４２】
また、上記した実施の形態では、第一計量筒２及び第二計量筒３がそれぞれ射出成形法によって成形されているが、本発明は、第一計量筒や第二計量筒を他の方法で成形することも可能であり、例えばブロー成形法によって第一計量筒や第二計量筒を成形してもよい。
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４３】
【図１】本発明の実施の形態を説明するための計量器の縦断面図である。
【図２】本発明の実施の形態を説明するための一方の計量筒の斜視図である。
【図３】本発明の実施の形態を説明するための他方の計量筒の斜視図である。
【図４】本発明の他の実施の形態を説明するための計量器の縦断面図である。
【符号の説明】
【００４４】
１、１０１  計量器
２、１０２  第一計量筒（一方の計量筒）
３、１０３  第二計量筒（他方の計量筒）
２０、１２０  第一計量部（計量部）
２１、１２１  第一口部（口部）
２２  底部
３０、１３０  第二計量部（計量部）
３１、１３１  第二口部（口部）
【図１】
0004871913.tif 000002
【図２】
0004871913.tif 000003
【図３】
0004871913.tif 000004
【図４】
0004871913.tif 000005